(57)【要約】【課題】歯に加わる負荷を軽減し、歯を欠損したり、歯茎を傷つける可能性をなくし、歯相互間の裏側の清掃を可能としたこと。  【解決手段】爪楊枝１０と爪楊枝２０は、その長さ方向に対して一方の直角方向に薄く、他方の直角方向に厚くしてなる本体部１１，２１と、本体部１１，２１の長さ方向の端部に形成し、本体部１１，２１の厚みのある方向に彎曲させ、かつ、略Ｃ字状に形成してなる彎曲端部１２，２２と、本体部１１，２１の長さ方向の他の端部に形成し、本体部１１，２１の長さ方向に伸びた針端形状とした針端部１３，２３とを具備し、歯を欠損したり、歯茎を傷つける可能性をなくし、歯相互間の裏側の清掃を可能とする。【選択図】図１
2008092991.tif 000002
【特許請求の範囲】
【請求項１】
長さ方向に対して一方の直角方向に薄く、他方の直角方向に厚くしてなる本体部と、
前記本体部の長さ方向の端部に形成し、前記本体部の厚みのある方向に彎曲させ、かつ、略Ｃ字状に形成してなる彎曲端部と、
前記本体部の長さ方向の他の端部に形成し、前記本体部の長さ方向に伸びた針端形状とした針端部と
を具備することを特徴とする爪楊枝。
【請求項２】
一方の前記彎曲端部には他方の前記針端部を対向させ、一方の前記針端部には他方の前記彎曲端部を対向させ、かつ、前記本体部相互間を平行して対向させると共に、前記本体部相互間に爪楊枝を各々独立させる切断部を形成したことを特徴とする請求項１に記載の爪楊枝。
【請求項３】
前記彎曲端部及び前記針端部をスプーン本体に対向させ、前記本体部と前記スプーン本体相互間を対向させると共に、前記本体部と前記スプーン本体相互間に切断部を形成したことを特徴とする請求項１に記載の爪楊枝。
【請求項４】
前記彎曲端部及び前記針端部及び前記本体部は、生分解性合成樹脂としたことを特徴とする特徴とする請求項１乃至請求項３の何れか１つに記載の爪楊枝。
【発明の詳細な説明】
【技術分野】
【０００１】
本発明は、歯と歯の間を清潔に保つための爪楊枝で、特に、歯の間に詰まった食物繊維を取り除き易い構造の爪楊枝に関するものである。
【背景技術】
【０００２】
爪楊枝の使用者は、歯と歯の間に異物が詰まったとき、前方から爪楊枝を操作するだけでは、それが取り除き難い場合があるという経験をしている。これに着目した爪楊枝としては特許文献１乃至特許文献７に掲載の技術がある。
【０００３】
まず、特許文献１及び特許文献２は、一対の細長い挾持片のそれぞれの先端に、歯間に詰った食物を挾み取るための挾持面を有し、その挾持面は前記挾持片の長さ方向と略直角の方向に延在する幅の狭い細長い面で形成され、挾持面の一方の端部が前記挾持片の側辺よりもはみ出して突出するように、挾持面は一方の横方向に延びて尖った挾持端部を形成しており、指先の力で圧接している両挾持面は力を解除したときに弾性力で自然に開くものであり、強靭な繊維質であっても容易に歯間から取り除くことができる技術を開示している。
【０００４】
特許文献３及び特許文献４、特許文献５は、先端部分を湾曲させた爪楊枝であって、先端に角度を付けることによって、無理なく歯と歯茎の間に進入する構造とし、最先端で奥歯に挟まったものの除去が可能となるものである。
【０００５】
そして、特許文献６及び特許文献７は、爪楊枝本体の槍形部の反対端に窪みを設ける構造のものであり、その窪みの先端で耳かき、爪垢取りとして使用する技術を開示している。
【特許文献１】特開平１０−１７９６１６号公報
【特許文献２】登録実用新案第３０４７８７４号公報
【特許文献３】実開平８−９８号公報
【特許文献４】登録実用新案第３０５２４５６号公報
【特許文献５】特開２００１−２０４７４９
【特許文献６】登録実用新案第３０４７９０１号公報
【特許文献７】特開２００３−１９９７７４
【発明の開示】
【発明が解決しようとする課題】
【０００６】
しかし、特許文献１及び特許文献２は、ピンセットタイプであり、通常の爪楊枝として使用するには、大げさになり、それをレストラン等で使用するには抵抗感があった。特許文献３乃至特許文献５は、先端部分を湾曲させた爪楊枝で、最先端で無理なく奥歯に挟まったものの除去が可能となるが、実用的には、特許文献４のように、爪楊枝を金属製としなければ、爪楊枝自体の機械的強度が得られなかった。また、爪楊枝を金属製とすると、柳の木で作成した爪楊枝は、その弾性及び折れによって安全性が確保されるが、金属製の場合には、直接歯に負荷が掛かり、結果、歯の欠損、歯茎を裂傷させる可能性があり、実用的には問題があった。特許文献６及び特許文献７は爪楊枝の槍形部の反対端に窪みを形成しているものの、その窪みは耳かき、爪垢取りとして使用するものであり、爪楊枝としての機能を追及するものではない。
【０００７】
そこで、本発明は、歯に加わる負荷を軽減し、歯を欠損したり、歯茎を傷つける可能性をなくし、歯相互間の裏側の清掃を可能とした爪楊枝の提供を課題とするものである。
【課題を解決するための手段】
【０００８】
請求項１にかかる爪楊枝は、長さ方向に対して一方の直角方向に薄く、他方の直角方向に厚くしてなる本体部と、前記本体部の長さ方向の端部に形成し、前記本体部の厚みのある方向に彎曲させ、かつ、略Ｃ字状に形成してなる彎曲端部と、前記本体部の長さ方向の他の端部に形成し、前記本体部の長さ方向に伸びた針端形状とした針端部とを具備するものである。
ここで、上記本体部は、爪楊枝の軸体となる部分で、その長さ方向に対して一方の直角方向に薄く、他方の直角方向に厚くしてなる本体部の断面形状が、略長円、略楕円、略長方形等となるものである。また、上記彎曲部は、本体部の長さ方向の端部に形成されるもので、前記本体部の厚みのある方向側に彎曲させたものである。この略Ｃ字状の弧状とは、実施の形態では、円弧の中心で１５０度乃至２１０度の範囲内に彎曲部の端部があることを示すものであるが、略Ｃ字状の弧状とは、直線部分の存在を否定するものではなく、部分的に直線部分が介在していてもよい。例えば、コ字状であっても、そのコーナの処理により全体的に略Ｃ字状であればよい。また、その断面形状は、略長円、略楕円、略長方形等となるものである。そして、上記針端部は、前記本体部の長さ方向の、前記本体部の他の端部に形成したその断面積を順次小さくした針端形状としたものであり、その断面形状は、略長円、略楕円、略長方形等となるものである。
【０００９】
請求項２にかかる爪楊枝において、一方の前記彎曲端部には他方の前記針端部を対向させ、また、一方の前記針端部には他方の前記彎曲端部を対向させ、かつ、前記本体部相互間を平行して対向させると共に、前記本体部相互間に切断部を形成したものである。
ここで、一方の前記彎曲端部に他方の前記針端部を、また、一方の前記針端部に他方の前記彎曲端部を夫々対向させ、前記本体部相互間を平行して対向させると共に、前記本体部相互間に切断部を形成することは、１固体に２個の爪楊枝が形成されることを意味し、各々分離することにより、２個の爪楊枝となる。
【００１０】
請求項３にかかる爪楊枝において、爪楊枝の彎曲端部及び針端部をスプーンを形成するスプーン本体に対向させ、爪楊枝の前記本体部とスプーンの前記スプーン本体相互間を対向させると共に、それらの前記本体部と前記スプーン本体相互間に切断部を形成したものである。
ここで、前記彎曲端部及び前記針端部をスプーン本体に対向させ、前記本体部と前記スプーン本体相互間に切断部を形成することは、１固体として爪楊枝とスプーンが形成されることを意味する。
【００１１】
請求項４にかかる爪楊枝において、前記彎曲端部及び前記針端部及び前記本体部は、生分解性合成樹脂としたものであるから、使用後に生ごみとして処理することができ、かつ、自然に返すことができる。
【発明の効果】
【００１２】
請求項１にかかる爪楊枝は、彎曲端部が本体部の端部に形成され、しかも、前記本体部の一方の直角方向に厚くしてなるから、その方向に対する外力が大きくても、弾性変形することなく歯の隙間に入り込み清掃することができる。また、歯の隙間に入り込んだ状態で異なった直角方向に大きな力を付与すると、彎曲端部が弾性変形し、歯または歯茎に対する負担を軽減することができる。結果、金属製の爪楊枝とすることなく、合成樹脂であっても、歯を欠損させたり、歯茎を傷つける可能性をなくし、歯相互間の裏側の清掃を可能とすることができる。
また、略Ｃ字状に形成してなる彎曲端部は、本体部の一端の針端部による歯の表側の操作方向と略逆方向となるが、弾性に変化がないから、歯の裏側の操作との間に操作のし難さが生じない。勿論、従来と同様、本体部の一方の端部の針端部により、歯の前からの清掃が可能である。
【００１３】
請求項２にかかる爪楊枝は、一方の前記彎曲端部には他方の前記針端部を、一方の前記針端部には他方の前記彎曲端部を対向させ、かつ、前記本体部相互間に切断部を形成したものであるから、請求項１の効果に加えて、１回で２個の爪楊枝を成型することができ、効率のよい生産が可能である。また、２個の爪楊枝は点対称の関係となるから、金型等の製造コストが廉価となる。そして、２個の爪楊枝は互いに接続されているから、針端部または彎曲端部が独自に機能するものでないので、他の何かに針端部または彎曲端部が刺さる可能性が低く、安全性が高い。
【００１４】
請求項３にかかる爪楊枝は、爪楊枝の彎曲端部及び針端部をスプーンのスプーン本体に対向させ、前記本体部と前記スプーン本体相互間を対向させると共に、前記本体部と前記スプーン本体相互間に切断部を形成したものであるから、請求項１の効果に加えて、スプーンと爪楊枝を一体化するものであるから、駅弁等の弁当、ケーキ等の菓子、和菓子等のスプーンと楊枝として使用することもできる。
【００１５】
請求項４にかかる爪楊枝は、彎曲端部及び針端部及び本体部は生分解性合成樹脂としたものであるから、請求項１乃至請求項３の何れか１つに記載の効果に加えて、使用した爪楊枝は、自然に帰すことができる。また、爪楊枝が折れた状態で何時までも鋭利な端部が存続すると、人体やゴムの車輪等に刺さる可能性があるが、生分解性合成樹脂を使用することにより、その寿命を短くすることができる。
【発明を実施するための最良の形態】
【００１６】
次に、本発明の実施の形態の爪楊枝について、図を用いて説明する。
なお、実施の形態２以降において、実施の形態１の部分と同一記号及び同一符号は、実施の形態１と同一または相当する機能を意味する部品であるから、ここでは重複する説明を省略する。
［実施の形態１］
【００１７】
図１は本発明の実施の形態１の爪楊枝の全体構成を示す平面図、図２は図１の切断線Ａ−ＡによるＡ−Ａ断面図、図３は図１の切断線Ｂ−ＢによるＢ−Ｂ断面図、図４は図１の切断線Ｃ−ＣによるＣ−Ｃ断面図、図５は図１の切断線Ｄ−ＤによるＤ−Ｄ断面図である。図６は本発明の実施の形態１における爪楊枝の針端部の使用状態を示す説明図であり、また、図７は本発明の実施の形態１における爪楊枝の彎曲端部の使用状態を示す説明図である。
【００１８】
図において、爪楊枝１０，２０は、その爪楊枝１０，２０としての長さ方向に対して、一方の直角方向を薄く、即ち、図６のｘ方向の幅を狭くし、他方の直角方向、即ち、長さ方向及び前記直角方向を除く直角方向（図６のｙ方向）に厚く（幅を広く）してなる本体部１１，２１を有している。特に、本体部１１，２１には、その中央部１１ａ，２１ａのように、更に、長さ方向に対して一方の直角方向（図６のｘ方向）の厚みを同一とし、他方の直角方向（図６のｙ方向）には更に厚くしている。これによって、本体部１１，２１の中央部１１ａ，２１ａは、長さ方向に対して一方の直角方向のみには、彎曲し難い構造としている。また、爪楊枝１０，２０を指で摘むとき、持ち易く、かつ、その方向性が目で確認することなく、指の感触で確認できるようになっている。
【００１９】
即ち、爪楊枝１０，２０を生分解性合成樹脂で形成した場合、その軸となる中央部１１ａ，２１ａを含み本体部１１，２１の断面形状が、略長円、略楕円、略長方形、卵形の縦断面形状等となっており、少なくとも正円形、正四角形となっていない。その断面形状は、一方には彎曲し難く形成されている。しかし、生分解性合成樹脂の硬度を本体部１１，２１のみ変化させる場合には、中央部１１ａ，２１ａを含む本体部１１の断面形状が、正円形、正四角形となることを禁止するものではない。他の合成樹脂の硬度を変えた場合も同様である。
【００２０】
略Ｃ字状に形成してなる彎曲端部１２，２２は、本体部１１，２１の長さ方向の端部に連続形成し、本体部１１，２１の厚みのある方向に彎曲させている。彎曲端部１２，２２は、本体部１１，２１の長さ方向の端部に形成されるものであり、本体部１１，２１の厚みのある方向側に彎曲させ、その彎曲を１５０乃至２１０度の弧状としたものである。この略Ｃ字状の弧状とは、本体部１１，２１の直線部分を無視し、彎曲する円弧の中心から１５０度乃至２１０度の範囲内に彎曲端部１２，２２の端部があることを示すものであるが、この略Ｃ字状の弧状とは、直線部分の存在を否定するものではなく、部分的に直線部分が介在していてもよい。例えば、コ字状であっても、そのコーナの処理により全体的に略Ｃ字状であればよい。
【００２１】
また、略Ｃ字状に形成してなる彎曲端部１２，２２は、本体部１１，２１との境界線が不明であるから、彎曲端部１２，２２は略Ｊ字状と見ることもできる。しかし、本発明の実施の形態では、それをも含んで先端が、好ましくは、本体部１１，２１の直線部分を無視し、１５０乃至２１０度の弧状とした略Ｃ字状に形成してなるものであればよい。
【００２２】
彎曲端部１２，２２についても、その断面形状が、略長円、略楕円、略長方形、卵形の縦断面形状等となっている。この断面形状は、一方には彎曲し難く形成されている。勿論、先端部は、断面が略Ｖ字状に形成されている。これによって、彎曲端部１２，２２は、長さ方向に対して一方の直角方向のみには、彎曲し難い構造としている。
【００２３】
針端部１３，２３は、公知の爪楊枝のような針端形状を有するもので、本体部１１，２１の長さ方向の他の端部に形成し、本体部１１，２１の長さ方向に伸びた略円錐状形状としたものである。ここで、略円錐状形状とは、針端部１３，２３についても、その断面形状が、略長円、略楕円、略長方形、卵形の縦断面形状等となっており、一方には彎曲し難く形成されていることによるものである。
【００２４】
ここで、爪楊枝１０と爪楊枝２０は、同一構造のものをその中心位置で点対称となっている。彎曲端部１２，２２は針端部１３，２３を対向させ、針端部１３，２３には彎曲端部１２，２２を対向させ、かつ、本体部１１と本体部２１の相互間を平行して対向させ、本体部１１と本体部２１の相互間には、その長さ方向に対して直角に折り曲げることによって、容易に切断分離できる切断部１５を形成している。切断部１５は、長さ方向に対して直角に折り曲げ易いようにするためにも、中央部１１ａ，２１ａの幅を広くし、指で持ち易くしている。これによってせん断力を得て、爪楊枝１０と爪楊枝２０を分離することができる。
【００２５】
この爪楊枝１０と爪楊枝２０との成型の際に、彎曲端部１２と針端部２３、彎曲端部２２と針端部１３は、分離可能に接合してもよいが、本実施の形態では、成型の段階で端部を先鋭にするため分離させている。
【００２６】
このように構成された爪楊枝１０，２０は、次のように使用することができる。
歯５０と歯５１との間に食物繊維が挟まったものとすると、使用者は爪楊枝１０の針端部１３を使用して歯５０，５１の隙間の上下方向、図６で示すｙ方向に先端を移動させる。この図６で示すｙ方向は、本体部１１の厚く（幅を広く）してなる方向に一致するから、弾性変形されることなく歯５０と歯５１との間の食物繊維に外力を付与することができる。勿論、図６で示すｚ方向に先端を移動させる場合も、外力をそのまま伝えることができる。
【００２７】
しかし、図６で示すｘ方向に対する力は、本体部１１の薄く（幅を狭く）してなる方向に一致するから、図６で示すｘ方向に対する外力を大きくすると、図６で示すｘ方向に対する力によって本体部１１，２１は弾性変形することになる。また、所定以上の力を加えるとその弾性限界となり変形（歪が残る）することになる。したがって、通常の公知の直線状の爪楊枝と同様に使用することができる。
【００２８】
歯５０と歯５１との間の裏側に食物繊維が挟まったものとすると、或いは前側の食物繊維が除去できたが、後側のみに挟まっているものとすると、使用者は爪楊枝１０の彎曲端部１２を使用して歯５０，５１の裏側の隙間の上下方向、図７で示すｙ方向に先端を移動させる。この図７で示すｙ方向は、本体部１１，２１の厚く（幅を広く）してなる方向に一致するから、弾性変形されることなく歯５０と歯５１の裏側の間の食物繊維に外力を付与することができる。勿論、図７で示すｚ方向に先端を移動させる場合も、外力をそのまま伝えることができる。しかし、図７で示すｘ方向に対する力は、本体部１１，２１の薄く（幅を狭く）してなる方向に一致するから、弾性変形することになる。
【００２９】
更に、図７で示すｘ方向に対する外力を大きくすると、図７で示すｘ方向に対する力によって本体部１１，２１が弾性変形することになる。また、所定以上の力を加えるとその弾性限界となり変形することになる。
このとき、彎曲端部１２は針端部１３として扱う場合の違いがないから、簡単に爪楊枝１０を操作することができる。また、外力を大きくすると、歯５０または歯５１に負担をかけることなく、弾性変形し、または弾性限界を超えると塑性変形するから、歯５０，５１またはその歯茎を傷付けることがない。
【００３０】
本発明の実施の形態１の爪楊枝１０と爪楊枝２０は、その長さ方向に対して一方の直角方向に薄く、他方の直角方向に厚くしてなる本体部１１，２１と、本体部１１，２１の長さ方向の端部に形成し、本体部１１，２１の厚みのある方向に彎曲させ、かつ、１５０乃至２１０度の弧状とした略Ｃ字状に形成してなる彎曲端部１２，２２と、本体部１１，２１の長さ方向の他の端部に形成し、本体部１１，２１の長さ方向に伸びた針端形状とした針端部１３，２３とを具備するものである。
【００３１】
したがって、爪楊枝１０，２０の彎曲端部１２，２２は、本体部１１，２１の端部に形成され、しかも、本体部１１，２１の一方の直角方向に厚くしてなるから、その方向に対する外力が大きくても、変形することなく歯５０，５１の隙間に入り込み清掃することができる。また、歯５０，５１の隙間に入り込んだ状態で直角方向に大きな力を付与すると、彎曲端部１２，２２、針端部１３，２３が弾性変形し、歯５０，５１または歯茎に対する負担を軽減することができる。結果、金属製の爪楊枝とすることなく、合成樹脂であっても、歯５０，５１を欠損したり、歯茎を傷つける可能性をなくし、歯５０，５１相互間の裏側の清掃を可能とすることができる。
【００３２】
また、１５０乃至２１０度の弧状とした略Ｃ字状に形成してなる彎曲端部１２，２２は、本体部１１，２１の一端の針端部１３，２３による歯５０，５１の表側の操作方向と、略逆方向となり、歯５０，５１の裏側の操作との間に操作のし難さが生じない。そして、本体部１１，２１の一方の端部の針端部１３，２３により、歯５０，５１の前からの清掃も可能である。
【００３３】
［実施の形態２］
図８は本発明の実施の形態２の爪楊枝の全体構成を示す平面図、図９は図８の切断線Ｅ−ＥによるＥ−Ｅ断面図、図１０は図８の切断線Ｆ−ＦによるＦ−Ｆ断面図である。
図において、爪楊枝３０は、その爪楊枝３０としての長さ方向に対して、一方の直角方向を薄く、即ち、幅を狭くし、他方の直角方向、即ち、長さ方向及び前記直角方向を除く直角方向に厚く（幅を広く）してなる本体部３１を有し、爪楊枝３０を指で摘むとき、持ちやすく、かつ、その先端の方向性が確認できるようになっている。
【００３４】
即ち、爪楊枝３０を生分解性合成樹脂で形成した場合、その軸となる本体部３１の断面形状が、略長円、略楕円、略長方形、卵形の縦断面形状等となっている。即ち、その断面形状は、一方には彎曲し難く形成されている。
【００３５】
略Ｃ字状に形成してなる彎曲端部３２は、本体部３１の長さ方向の端部に連続形成し、本体部３１の厚みのある方向に彎曲させている。彎曲端部３２は、本体部３１の長さ方向の端部に形成されるものであり、本体部３１の厚みのある方向側に彎曲させ、その彎曲を１５０乃至２１０度の弧状としたものである。この略Ｃ字状の弧状とは、円弧の中心からみて１５０度乃至２１０度の範囲内に彎曲端部３２の端部があることを示すものであるが、この略Ｃ字状の弧状とは、直線部分の存在を否定するものではなく、部分的に直線部分が介在していてもよい。例えば、コ字状であっても、そのコーナの処理により全体的にみて略Ｃ字状であればよい。
【００３６】
また、略Ｃ字状に形成してなる彎曲端部３２は、本体部３１との境界線が不明であるから、彎曲端部３２は略Ｊ字状と見ることもできる。しかし、本発明の実施の形態では、それをも含んで先端が、好ましくは、１５０乃至２１０度の弧状とした略Ｃ字状に形成してなるものであればよい。
【００３７】
彎曲端部３２についても、その断面形状が、略長円、略楕円、略長方形、卵形の縦断面形状等となっている。この断面形状は、一方には彎曲し難く形成されている。勿論、先端部は、断面が略Ｖ字状に形成されている。これによって、彎曲端部３２は、長さ方向に対して一方の直角方向のみには、彎曲し難い構造としている。
【００３８】
針端部３３は、公知の爪楊枝のような針端形状を有するもので、本体部３１の長さ方向の他の端部に形成し、本体部３１の長さ方向に伸びた略円錐状形状としたものである。ここで、略円錐状形状とは、針端部３３についても、その断面形状が、略長円、略楕円、略長方形、卵形の縦断面形状等となっており、一方には彎曲し難く形成されていることによるものである。
【００３９】
本実施の形態のスプーン４０は、略均一の厚みからなるスプーン本体４１と、一方の端部を幅広とした幅広端部４２と、他方の端部を幅狭くしてなる幅狭端部４３からなっている。
【００４０】
スプーン本体４１は、爪楊枝３０の本体部３１に対して、彎曲端部３２は幅広端部４２に対向させ、針端部３３は幅狭端部４３に対向させ、かつ、本体部３１とスプーン本体４１の相互間を平行して対向させ、本体部３１とスプーン本体４１の相互間には、その長さ方向に対して直角に折り曲げることによって、容易に切断分離できる切断部３５を形成している。切断部３５は、長さ方向に対して直角に折り曲げ易いように数箇所で接続している。切断部３５は加えられる断力によって、爪楊枝３０とスプーン４０に分離することができる。
【００４１】
本実施の形態においては、スプーン４０として、スプーン本体４１及び幅広端部４２及び幅狭端部４３からなる事例で説明したが、例えば、幅狭端部４３側に切り欠きを入れて、デザートスプーンまたはフォークとすることができる。また、スプーン本体４１及び幅広端部４２またはスプーン本体４１及び幅狭端部４３でナイフを形成し、ケーキナイフ等とすることもできる。
【００４２】
このように、本実施の形態においては、爪楊枝３０の彎曲端部３２及び針端部３３をスプーン４０のスプーン本体４１に対向させ、本体部３１とスプーン本体４１相互間を対向させると共に、本体部１１とスプーン本体４１相互間に切断部３５を形成したものである。
【００４３】
したがって、スプーン４０と爪楊枝３０を一体化するものであるから、駅弁等の弁当、ケーキ等の菓子、和菓子等のスプーンと楊枝として使用することができる。
【００４４】
上記実施の形態においては、彎曲端部３２及び針端部３３及び本体部３１は、生分解性合成樹脂としたものであるから、使用した爪楊枝３０は、自然に帰すことができる。また、爪楊枝３０が折れた状態で何時までも鋭利な端部が存続すると、人体やゴムの車輪等に刺さる可能性があるが、生分解性合成樹脂を使用することにより、その寿命を短くすることができる。また、彎曲端部３２及び針端部３３及び本体部３１は、部分的に硬度を適宜設定することもできる。
勿論、スプーン４０についても、同様に生分解性合成樹脂で構成することができる。
【産業上の利用可能性】
【００４５】
本発明は、爪楊枝１０,２０，３０の実施の形態で説明したが、本発明は実施の形態１の爪楊枝１０,２０のように長円空間を外力で打ち抜き形成することもできる。
【図面の簡単な説明】
【００４６】
【図１】図１は本発明の実施の形態１の爪楊枝の全体構成を示す平面図である。
【図２】図２は図１の切断線Ａ−ＡによるＡ−Ａ断面図である。
【図３】図３は図１の切断線Ｂ−ＢによるＢ−Ｂ断面図である。
【図４】図４は図１の切断線Ｃ−ＣによるＣ−Ｃ断面図である。
【図５】図５は図１の切断線Ｄ−ＤによるＤ−Ｄ断面図である。
【図６】図６は本発明の実施の形態１における爪楊枝の針端部の使用状態を示す説明図である。
【図７】図７は本発明の実施の形態１における爪楊枝の彎曲端部の使用状態を示す説明図である。
【図８】図８は本発明の実施の形態２の爪楊枝の全体構成を示す平面図である。
【図９】図９は図８の切断線Ｅ−ＥによるＥ−Ｅ断面図である。
【図１０】図１０は図８の切断線Ｆ−ＦによるＦ−Ｆ断面図である。
【符号の説明】
【００４７】
１０，２０，３０    爪楊枝
１１，２１，３１    本体部
１２，２２，３２    彎曲端部
１３，２３，３３    針端部
４０          スプーン
４１          スプーン本体
４２          幅広端部
４３          幅狭端部
【図１】
2008092991.tif 000003
【図２】
2008092991.tif 000004
【図３】
2008092991.tif 000005
【図４】
2008092991.tif 000006
【図５】
2008092991.tif 000007
【図６】
2008092991.tif 000008
【図７】
2008092991.tif 000009
【図８】
2008092991.tif 000010
【図９】
2008092991.tif 000011
【図１０】
2008092991.tif 000012